(57)【要約】【課題】カード挿入口が形成されるベゼルを備えるカードリーダにおいて、ベゼルが配置されるカードリーダの前端側部分を、カードの幅方向で小型化することが可能なカードリーダを提供する。【解決手段】カードリーダ１は、カード通過路が内部に形成される本体フレーム４と、カード通過路に通じるカード挿入口６ａが形成されるとともに本体フレーム４の前端側部分を覆うように本体フレーム４の前端側部分に取り付けられるベゼル６とを備えている。本体フレーム４の、ベゼル６で覆われる部分をフレーム前端部４ｂとすると、ベゼル６は、フレーム前端部４ｂのＹ方向の両側のそれぞれを覆う幅方向覆部６ｃ、６ｄを備えている。このカードリーダ１では、フレーム前端部４ｂのＹ方向の両端は開口しており、フレーム前端部４ｂでは、幅方向覆部６ｃ、６ｄによってカード通過路のＹ方向の側面が構成されている。【選択図】図１
2017199170.tif 000002
【特許請求の範囲】
【請求項１】
少なくともカードの一端が通過するカード通過路が内部に形成される本体フレームと、前記カード通過路に通じるカード挿入口が形成されるとともに前記本体フレームの前端側部分を覆うように前記本体フレームの前端側部分に取り付けられるベゼルとを備え、
前記カード挿入口への前記カードの挿入方向と前記カード挿入口に挿入される前記カードの厚さ方向とに直交する前記カードの幅方向を第１方向とし、前記本体フレームの、前記ベゼルで覆われる部分をフレーム前端部とすると、
前記ベゼルは、前記フレーム前端部の前記第１方向の両側のそれぞれを覆う幅方向覆部を備え、
前記フレーム前端部の前記第１方向の両端は、開口しており、
前記フレーム前端部では、前記幅方向覆部によって前記カード通過路の前記第１方向の側面が構成されていることを特徴とするカードリーダ。
【請求項２】
前記フレーム前端部は、前記カードの厚さ方向の一方側に配置される第１フレーム前端部と、前記カードの厚さ方向の他方側に配置される第２フレーム前端部とから構成され、
前記カードの厚さ方向における前記第１フレーム前端部と前記第２フレーム前端部との間は、前記カード通過路の一部分となっており、
前記ベゼルは、前記フレーム前端部の、前記カードの厚さ方向の両側のそれぞれを覆うとともに、前記フレーム前端部の、前記カードの厚さ方向の両端のそれぞれに接触する厚さ方向覆部を備えることを特徴とする請求項１記載のカードリーダ。
【請求項３】
前記幅方向覆部には、前記第１方向の内側に向かって突出するとともに前記カードの厚さ方向における前記第１フレーム前端部と前記第２フレーム前端部との間に配置され前記第１フレーム前端部および前記第２フレーム前端部に接触する突出部が形成されていることを特徴とする請求項２記載のカードリーダ。
【請求項４】
前記第１方向の一方側を第２方向側とし、前記第１方向の他方側を第３方向側とすると、
前記フレーム前端部は、前記第２方向側に配置される第３フレーム前端部と、前記第３方向側に配置される第４フレーム前端部とによって構成され、
前記第１方向における前記第３フレーム前端部と前記第４フレーム前端部との間は、前記カードリーダの前端から奥側に向かって切り欠かれた切欠き部となっており、
前記ベゼルは、前記幅方向覆部として、前記第３フレーム前端部の前記第２方向端の開口部を覆う第１幅方向覆部と、前記第４フレーム前端部の前記第３方向端の開口部を覆う第２幅方向覆部とを備えることを特徴とする請求項１記載のカードリーダ。
【請求項５】
前記ベゼルは、前記第３フレーム前端部の、前記カードの厚さ方向の両側のそれぞれを覆うとともに、前記第３フレーム前端部の、前記カードの厚さ方向の両端のそれぞれに接触する第１厚さ方向覆部と、前記第４フレーム前端部の、前記カードの厚さ方向の両側のそれぞれを覆うとともに、前記第４フレーム前端部の、前記カードの厚さ方向の両端のそれぞれに接触する第２厚さ方向覆部とを備え、
前記第３フレーム前端部は、前記カードの厚さ方向の一方側に配置される第５フレーム前端部と、前記カードの厚さ方向の他方側に配置される第６フレーム前端部とから構成され、
前記第４フレーム前端部は、前記カードの厚さ方向の一方側に配置される第７フレーム前端部と、前記カードの厚さ方向の他方側に配置される第８フレーム前端部とから構成され、
前記カードの厚さ方向における前記第５フレーム前端部と前記第６フレーム前端部との間、および、前記カードの厚さ方向における前記第７フレーム前端部と前記第８フレーム前端部との間は、前記カード通過路の一部分となっており、
前記第１幅方向覆部には、前記第３方向側に向かって突出するとともに前記カードの厚さ方向における前記第５フレーム前端部と前記第６フレーム前端部との間に配置され前記第５フレーム前端部および前記第６フレーム前端部に接触する第１突出部が形成され、
前記第２幅方向覆部には、前記第２方向側に向かって突出するとともに前記カードの厚さ方向における前記第７フレーム前端部と前記第８フレーム前端部との間に配置され前記第７フレーム前端部および前記第８フレーム前端部に接触する第２突出部が形成されていることを特徴とする請求項４記載のカードリーダ。
【請求項６】
前記第１方向における前記第３フレーム前端部の幅は、前記第１方向における前記第４フレーム前端部の幅よりも狭くなっており、
前記第１突出部の前記第３方向側への突出量は、前記第２突出部の前記第２方向側への突出量よりも大きくなっており、
前記第１突出部は、前記カードの厚さ方向に間隔をあけた状態で配置される２個の第３突出部によって構成され、
２個の前記第３突出部の間は、前記カード通過路の一部となっていることを特徴とする請求項５記載のカードリーダ。
【請求項７】
前記フレーム前端部の前記第１方向の幅は、前記カードリーダの前側に向かうにしたがって狭くなっており、
前記フレーム前端部の前端の前記第１方向の幅は、前記カード挿入口に挿入される前記カードの幅と等しくなっていることを特徴とする請求項１から６のいずれかに記載のカードリーダ。
【請求項８】
前記本体フレームは、前記カードの厚さ方向に分割される第１フレームと第２フレームとから構成され、
前記第１フレームと前記第２フレームとは、スナップフィットによって互いに固定されていることを特徴とする請求項１から７のいずれかに記載のカードリーダ。
【請求項９】
前記ベゼルは、スナップフィットによって前記本体フレームに固定されていることを特徴とする請求項１から８のいずれかに記載のカードリーダ。
【請求項１０】
前記カードの厚さ方向における前記本体フレームの側面に固定される回路基板を備え、
前記回路基板は、スナップフィットによって前記本体フレームに固定されていることを特徴とする請求項１から９のいずれかに記載のカードリーダ。
【発明の詳細な説明】
【技術分野】
【０００１】
本発明は、カード挿入口が形成されるベゼルを備えるカードリーダに関する。
【背景技術】
【０００２】
従来、カードに記録された磁気データを読み取る手動式のカードリーダが知られている（たとえば、特許文献１参照）。特許文献１に記載のカードリーダは、いわゆるディップ式のカードリーダであり、ガソリンスタンドの給油装置等の上位装置に搭載されて使用される。このカードリーダは、カード挿入口が形成される前面フレーム（ベゼル）と、ベゼルに固定される本体フレームとを備えている。ベゼルは、カードリーダの前面を構成する前面部と、前面部に繋がるように形成されるとともに前面部から後ろ側に向かって形成される略筒状の筒部とを備えている。
【０００３】
また、特許文献１に記載のカードリーダでは、本体フレームは、磁気ヘッドが配置されるヘッド配置部と、挿入口から挿入されたカードの奥端側部分が収容される袋状のカード収容部と、ヘッド配置部とカード収容部との間に配置される隔壁部およびシール配置部と、挿入口から挿入されたカードを案内するカード案内部とを備えている。ヘッド配置部およびカード案内部は、シール配置部から前側に突出するように形成されている。カード挿入口に挿入されるカードの幅方向におけるヘッド配置部とカード案内部との間には、切欠部が形成されている。ヘッド配置部およびカード案内部は、ベゼルの筒部の内周側に配置されている。また、ヘッド配置部およびカード案内部には、カードの幅方向においてカードを案内するための側面部が形成されている。
【先行技術文献】
【特許文献】
【０００４】
【特許文献１】特開２０１１−４００２９号公報
【発明の概要】
【発明が解決しようとする課題】
【０００５】
特許文献１に記載のカードリーダが搭載される上位装置によっては、ベゼルが配置されるカードリーダの前端側部分の寸法が、カード挿入口に挿入されるカードの幅方向において制約されることがある。すなわち、特許文献１に記載のカードリーダが搭載される上位装置によっては、ベゼルが配置されるカードリーダの前端側部分の、カードの幅方向における小型化が要求されることがある。
【０００６】
そこで、本発明の課題は、カード挿入口が形成されるベゼルを備えるカードリーダにおいて、ベゼルが配置されるカードリーダの前端側部分を、カードの幅方向で小型化することが可能なカードリーダを提供することにある。
【課題を解決するための手段】
【０００７】
上記の課題を解決するため、本発明のカードリーダは、少なくともカードの一端が通過するカード通過路が内部に形成される本体フレームと、カード通過路に通じるカード挿入口が形成されるとともに本体フレームの前端側部分を覆うように本体フレームの前端側部分に取り付けられるベゼルとを備え、カード挿入口へのカードの挿入方向とカード挿入口に挿入されるカードの厚さ方向とに直交するカードの幅方向を第１方向とし、本体フレームの、ベゼルで覆われる部分をフレーム前端部とすると、ベゼルは、フレーム前端部の第１方向の両側のそれぞれを覆う幅方向覆部を備え、フレーム前端部の第１方向の両端は、開口しており、フレーム前端部では、幅方向覆部によってカード通過路の第１方向の側面が構成されていることを特徴とする。
【０００８】
本発明のカードリーダでは、本体フレームの前端側部分を構成するフレーム前端部の第１方向の両端は、開口しており、フレーム前端部では、ベゼルに幅方向覆部によってカード通過路の第１方向の側面が構成されている。そのため、本発明では、フレーム前端部においてカード通過路の第１方向の側面が本体フレームによって構成されるようにフレーム前端部の第１方向の両端が塞がっており、かつ、第１方向の両端が塞がっているフレーム前端部の第１方向の両側のそれぞれをベゼルの一部分が覆っている場合と比較して、ベゼルが配置されるカードリーダの前端側部分を、カードの幅方向である第１方向で小型化することが可能になる。
【０００９】
本発明において、フレーム前端部は、カードの厚さ方向の一方側に配置される第１フレーム前端部と、カードの厚さ方向の他方側に配置される第２フレーム前端部とから構成され、カードの厚さ方向における第１フレーム前端部と第２フレーム前端部との間は、カード通過路の一部分となっており、ベゼルは、フレーム前端部の、カードの厚さ方向の両側のそれぞれを覆うとともに、フレーム前端部の、カードの厚さ方向の両端のそれぞれに接触する厚さ方向覆部を備えていることが好ましい。このように構成すると、第１フレーム前端部と第２フレーム前端部とが互いに固定されていなくても、カードの厚さ方向において第１フレーム前端部と第２フレーム前端部とが互いに離れるように変形するのをベゼルによって抑制することが可能になる。したがって、第１フレーム前端部と第２フレーム前端部とを互いに固定するための構成が不要となり、その結果、カードリーダの構成を簡素化してカードリードを小型化することが可能になる。
【００１０】
本発明において、幅方向覆部には、第１方向の内側に向かって突出するとともにカードの厚さ方向における第１フレーム前端部と第２フレーム前端部との間に配置され第１フレーム前端部および第２フレーム前端部に接触する突出部が形成されていることが好ましい。このように構成すると、第１フレーム前端部と第２フレーム前端部とが互いに固定されていなくても、カードの厚さ方向において第１フレーム前端部と第２フレーム前端部とが互いに近づくように変形するのをベゼルによって抑制することが可能になる。
【００１１】
本発明において、第１方向の一方側を第２方向側とし、第１方向の他方側を第３方向側とすると、たとえば、本体フレームの前端側部分は、第２方向側に配置される第３フレーム前端部と、第３方向側に配置される第４フレーム前端部とによって構成され、第１方向における第３フレーム前端部と第４フレーム前端部との間は、カードリーダの前端から奥側に向かって切り欠かれた切欠き部となっており、ベゼルは、幅方向覆部として、第３フレーム前端部の第２方向端の開口部を覆う第１幅方向覆部と、第４フレーム前端部の第３方向端の開口部を覆う第２幅方向覆部とを備えている。
【００１２】
本発明において、ベゼルは、第３フレーム前端部の、カードの厚さ方向の両側のそれぞれを覆うとともに、第３フレーム前端部の、カードの厚さ方向の両端のそれぞれに接触する第１厚さ方向覆部と、第４フレーム前端部の、カードの厚さ方向の両側のそれぞれを覆うとともに、第４フレーム前端部の、カードの厚さ方向の両端のそれぞれに接触する第２厚さ方向覆部とを備え、第３フレーム前端部は、カードの厚さ方向の一方側に配置される第５フレーム前端部と、カードの厚さ方向の他方側に配置される第６フレーム前端部とから構成され、第４フレーム前端部は、カードの厚さ方向の一方側に配置される第７フレーム前端部と、カードの厚さ方向の他方側に配置される第８フレーム前端部とから構成され、カードの厚さ方向における第５フレーム前端部と第６フレーム前端部との間、および、カードの厚さ方向における第７フレーム前端部と第８フレーム前端部との間は、カード通過路の一部分となっており、第１幅方向覆部には、第３方向側に向かって突出するとともにカードの厚さ方向における第５フレーム前端部と第６フレーム前端部との間に配置され第５フレーム前端部および第６フレーム前端部に接触する第１突出部が形成され、第２幅方向覆部には、第２方向側に向かって突出するとともにカードの厚さ方向における第７フレーム前端部と第８フレーム前端部との間に配置され第７フレーム前端部および第８フレーム前端部に接触する第２突出部が形成されていることが好ましい。
【００１３】
このように構成すると、第５フレーム前端部と第６フレーム前端部とが互いに固定されていなくても、カードの厚さ方向において第５フレーム前端部と第６フレーム前端部とが互いに離れるように変形したり、互いに近づくように変形したりするのをベゼルによって抑制することが可能になる。また、このように構成すると、第７フレーム前端部と第８フレーム前端部とが互いに固定されていなくても、カードの厚さ方向において第７フレーム前端部と第８フレーム前端部とが互いに離れるように変形したり、互いに近づくように変形したりするのをベゼルによって抑制することが可能になる。したがって、第５フレーム前端部と第６フレーム前端部とを互いに固定するための構成や、第７フレーム前端部と第８フレーム前端部とを互いに固定するための構成が不要となり、その結果、カードリーダの構成を簡素化してカードリーダを小型化することが可能になる。
【００１４】
本発明において、第１方向における第３フレーム前端部の幅は、第１方向における第４フレーム前端部の幅よりも狭くなっており、第１突出部の第３方向側への突出量は、第２突出部の第２方向側への突出量よりも大きくなっており、第１突出部は、カードの厚さ方向に間隔をあけた状態で配置される２個の第３突出部によって構成され、２個の第３突出部の間は、カード通過路の一部となっていることが好ましい。このように構成すると、第１方向における第３フレーム前端部の幅が狭くなっていて、第５フレーム前端部および第６フレーム前端部の強度が低くなっていても、カード通過路の一部となるまで第３方向側に突出している第１突出部によって、第５フレーム前端部と第６フレーム前端部とが互いに近づくように変形するのを効果的に抑制することが可能になる。
【００１５】
本発明において、フレーム前端部の第１方向の幅は、カードリーダの前側に向かうにしたがって狭くなっており、フレーム前端部の前端の第１方向の幅は、カード挿入口に挿入されるカードの幅と等しくなっていることが好ましい。このように構成すると、ベゼルが配置されるカードリーダの前端側部分を第１方向でより小型化することが可能になる。
【００１６】
本発明において、本体フレームは、カードの厚さ方向に分割される第１フレームと第２フレームとから構成され、第１フレームと第２フレームとは、スナップフィットによって互いに固定されていることが好ましい。このように構成すると、第１フレームと第２フレームとがネジで固定されている場合と比較して、カードリーダを小型化することが可能になる。
【００１７】
本発明において、ベゼルは、スナップフィットによって本体フレームに固定されていることが好ましい。このように構成すると、ベゼルがネジによって本体フレームに固定されている場合と比較して、カードリーダを小型化することが可能になる。
【００１８】
本発明において、カードリーダは、カードの厚さ方向における本体フレームの側面に固定される回路基板を備え、回路基板は、スナップフィットによって本体フレームに固定されていることが好ましい。このように構成すると、回路基板がネジによって本体フレームに固定されている場合と比較して、カードの厚さ方向でカードリーダを小型化することが可能になる。
【発明の効果】
【００１９】
以上のように、本発明では、カード挿入口が形成されるベゼルを備えるカードリーダにおいて、ベゼルが配置されるカードリーダの前端側部分を、カードの幅方向で小型化することが可能になる。
【図面の簡単な説明】
【００２０】
【図１】本発明の実施の形態にかかるカードリーダの斜視図である。
【図２】図１に示すカードリーダからベゼルを取り外した状態の斜視図である。
【図３】図１に示すカードリーダからベゼル、固定フレームおよび回路基板を取り外した状態の斜視図である。
【図４】図３に示す本体フレームおよび回路基板等を反対側から示す斜視図である。
【図５】図３に示す本体フレームの前端側の平面図である。
【図６】（Ａ）は、図１のＥ−Ｅ断面の構成を説明するための概略断面図であり、（Ｂ）は、図１のＦ−Ｆ断面の構成を説明するための概略断面図である。
【発明を実施するための形態】
【００２１】
以下、図面を参照しながら、本発明の実施の形態を説明する。
【００２２】
（カードリーダの全体構成）
図１は、本発明の実施の形態にかかるカードリーダ１の斜視図である。図２は、図１に示すカードリーダ１からベゼル６を取り外した状態の斜視図である。図３は、図１に示すカードリーダ１からベゼル６、固定フレーム１３および回路基板１１を取り外した状態の斜視図である。図４は、図３に示す本体フレーム４および回路基板１２等を反対側から示す斜視図である。図５は、図３に示す本体フレーム４の前端側の平面図である。
【００２３】
本形態のカードリーダ１は、ユーザが手動でカード２を操作して、カード２に記録されたデータの読取およびカード２へのデータの記録の少なくともいずれか一方を行うための装置であり、いわゆるディップ式のカードリーダである。このカードリーダ１は、所定の上位装置（図示省略）に搭載されて使用される。カードリーダ１は、扁平な略直方体状に形成されている。カードリーダ１の内部には、カード２の一端が通過するカード通過路３が形成されている。カードリーダ１は、カード通過路３が内部に形成される本体フレーム４と、カード通過路３に通じるカード挿入口６ａ（図１参照）が形成されるとともに本体フレーム４に取り付けられるベゼル（前面フレーム）６とを備えている。
【００２４】
また、カードリーダ１は、複数のＩＣ接点バネを有するＩＣ接点ブロック８（図３参照）と、磁気ヘッド９（図４参照）とを備えている。また、カードリーダ１は、内部に挿入されたカード２の引抜きを阻止するレバー部材１０と、各種の電子部品等が実装される２枚の回路基板１１、１２と、カードリーダ１が搭載される上位装置にカードリーダ１を固定するための固定フレーム１３とを備えている。
【００２５】
本形態では、カード挿入口６ａに対して図１等に示すＸ１方向にカード２が挿入され、図１等に示すＸ２方向にカード２が引き抜かれる。すなわち、Ｘ１方向は、カード挿入口６ａへのカード２の挿入方向であり、Ｘ２方向は、カード挿入口６ａからのカード２の引抜き方向である。また、Ｘ１方向に直交する図１等のＺ方向は、カード挿入口６ａに挿入されるカード２の厚さ方向であり、Ｘ方向とＺ方向とに直交する図１等のＹ方向は、カード挿入口６ａに挿入されるカード２の幅方向である。
【００２６】
以下の説明では、Ｘ１方向側を「後ろ（奥）」側とし、Ｘ２方向側を「前（手前）」側とする。また、Ｙ方向のうちのＹ１方向側を「右」側とし、その反対側であるＹ２方向側を「左」側とするとともに、Ｚ方向のうちのＺ１方向側を「上」側とし、その反対側であるＺ２方向側を「下」側とする。本形態のＹ方向は、第１方向となっており、Ｙ２方向側は、第１方向の一方側である第２方向側となっており、Ｙ１方向側は、第１方向の他方側である第３方向側となっている。
【００２７】
カード２は、厚さが０．７〜０．８ｍｍ程度の略長方形状の塩化ビニール製のカードである。カード２の裏面には、磁気データが記録される磁気ストライプが形成されている。また、カード２には、ＩＣチップが内蔵されており、カード２のおもて面には、ＩＣチップの外部接続端子が形成されている。カード２は、カード２のおもて面が上側を向くとともに、カード２の長手方向が前後方向と一致した状態で、カード挿入口６ａに挿入される。
【００２８】
本体フレーム４は、全体として、上下方向の厚さが薄い扁平な略直方体状に形成されている。この本体フレーム４は、上下方向に分割される第１フレーム１７と第２フレーム１８とから構成されており、第１フレーム１７と第２フレーム１８との間にカード通過路３が形成されている。本形態では、第１フレーム１７が上側に配置され、第２フレーム１８が下側に配置されている。
【００２９】
本体フレーム４の前端側の一部分は、カードリーダ１の前端から奥側に向かって切り欠かれた切欠き部４ａとなっている。切欠き部４ａは、本体フレーム４の前端側の、左右方向の中間位置に形成されており、左右方向における切欠き部４ａの両側には、左側突出部２０と右側突出部２１とが形成されている。左側突出部２０は、第１フレーム１７の左端側から前側へ突出する突出部１７ａと、第２フレーム１８の左端側から前側へ突出する突出部１８ａとによって構成されている。右側突出部２１は、第１フレーム１７の右端側から前側へ突出する突出部１７ｂと、第２フレーム１８の右端側から前側へ突出する突出部１８ｂとによって構成されている。
【００３０】
本形態では、左側突出部２０の前端側部分および右側突出部２１の前端側部分がベゼル６によって覆われている。すなわち、本体フレーム４の、ベゼル６で覆われた部分をフレーム前端部４ｂとし、左側突出部２０の前端側部分を第３フレーム前端部２０ａとし、右側突出部２１の前端側部分を第４フレーム前端部２１ａとすると、フレーム前端部４ｂは、左側に配置される第３フレーム前端部２０ａと、右側に配置される第４フレーム前端部２１ａとによって構成されている。左右方向における第３フレーム前端部２０ａと第４フレーム前端部２１ａとの間は、上述のように、切欠き部４ａとなっている。
【００３１】
また、第３フレーム前端部２０ａは、上側に配置される第１フレーム１７の突出部１７ａの前端側部分と、下側に配置される第２フレーム１８の突出部１８ａの前端側部分とによって構成されている。第３フレーム前端部２０ａを構成する突出部１７ａの前端側部分を第５フレーム前端部１７ｃとし、第３フレーム前端部２０ａを構成する突出部１８ａの前端側部分を第６フレーム前端部１８ｃとすると、上下方向における第５フレーム前端部１７ｃと第６フレーム前端部１８ｃとの間は、カード通過路３の一部分となっている。
【００３２】
また、第４フレーム前端部２１ａは、上側に配置される第１フレーム１７の突出部１７ｂの前端側部分と、下側に配置される第２フレーム１８の突出部１８ｂの前端側部分とによって構成されている。第４フレーム前端部２１ａを構成する突出部１７ｂの前端側部分を第７フレーム前端部１７ｄとし、第４フレーム前端部２１ａを構成する突出部１８ｂの前端側部分を第８フレーム前端部１８ｄとすると、上下方向における第７フレーム前端部１７ｄと第８フレーム前端部１８ｄとの間は、カード通過路３の一部分となっている。
【００３３】
なお、本形態では、第５フレーム前端部１７ｃと第７フレーム前端部１７ｄとによって、上側に配置される第１フレーム前端部１７ｅが構成され、第６フレーム前端部１８ｃと第８フレーム前端部１８ｄとによって、下側に配置される第２フレーム前端部１８ｅが構成されている。すなわち、フレーム前端部４ｂは、上側に配置される第１フレーム前端部１７ｅと下側に配置される第２フレーム前端部１８ｅとから構成されており、上下方向における第１フレーム前端部１７ｅと第２フレーム前端部１８ｅとの間は、カード通過路３の一部分となっている。
【００３４】
上下方向において第５フレーム前端部１７ｃの左端と第６フレーム前端部１８ｃの左端との間には隙間が形成されており、第３フレーム前端部２０ａの左端は、開口している。同様に、上下方向において第７フレーム前端部１７ｄの右端と第８フレーム前端部１８ｄの右端との間には隙間が形成されており、第４フレーム前端部２１ａの右端は、開口している。すなわち、フレーム前端部４ｂの左右方向の両端は、開口している。
【００３５】
なお、左側突出部２０の前端および右端は、カードリーダ１へのカード２の挿入が可能となるように開口している。同様に、右側突出部２１の前端および左端は、カードリーダ１へのカード２の挿入が可能となるように開口している。また、フレーム前端部４ｂよりも奥側の部分では、上下方向において第１フレーム１７の左端側部分と第２フレーム１８の左端側部分とが当接し、上下方向において第１フレーム１７の右端側部分と第２フレーム１８の右端側部分とが当接している。すなわち、フレーム前端部４ｂよりも奥側の部分では、本体フレーム４の左右方向の両端が塞がっている。そのため、フレーム前端部４ｂよりも奥側の部分では、本体フレーム４によって、カード通過路３の左右方向の側面が形成されている。
【００３６】
左側突出部２０の左右方向の幅は、右側突出部２１の左右方向の幅よりも狭くなっている。すなわち、第３フレーム前端部２０ａの左右方向の幅は、第４フレーム前端部２１ａの左右方向の幅よりも狭くなっている。また、図５に示すように、フレーム前端部４ｂの左右方向の幅は、前側に向かうにしたがって次第に狭くなっている。また、フレーム前端部４ｂの前端の幅Ｈ（図５参照）は、カード挿入口６ａに挿入されるカード２の幅（略長方形状に形成されるカード２の短手方向の幅）と等しくなっている。
【００３７】
第２フレーム１８の上面には、上側に向かって伸びる複数の係合爪１８ｇが形成されている。具体的には、図３に示すように、第２フレーム１８の上面の左端側部分の２箇所と第２フレーム１８の上面の右端側部分の１箇所とに左右方向に弾性変形可能な係合爪１８ｇが形成されるとともに、第２フレーム１８の上面の後端側部分の１箇所に前後方向に弾性変形可能な係合爪１８ｇが形成されている。４個の係合爪１８ｇは、左側突出部２０および右側突出部２１よりも後ろ側に配置されている。すなわち、４個の係合爪１８ｇは、フレーム前端部４ｂよりも後ろ側に配置されている。第１フレーム１７には、係合爪１８ｇが挿通されて係合する係合孔が形成されている。第１フレーム１７と第２フレーム１８とは、係合爪１８ｇの弾性を利用した固定方法であるスナップフィットによって互いに固定されている。
【００３８】
第２フレーム１８の下面には、下側に向かって伸びる複数の係合爪１８ｈが形成されている。具体的には、図４に示すように、第２フレーム１８の下面の右端側部分の２箇所に左右方向に弾性変形可能な係合爪１８ｈが形成されている。また、第１フレーム１７の上面には、上側に向かって伸びる複数の係合爪１７ｇが形成されている。具体的には、図３に示すように、第１フレーム１７の上面の左端側部分の２箇所と第１フレーム１７の上面の右端側部分の２箇所とに左右方向に弾性変形可能な係合爪１７ｇが形成されている。また、図５に示すように、左側突出部２０の左側面には、左側に向かって突出する凸部２０ｂが形成され、右側突出部２１の右側面には、右側に向かって突出する凸部２１ｂが形成されている。凸部２０ｂ、２１ｂは、フレーム前端部４ｂよりも後ろ側に配置されている。
【００３９】
磁気ヘッド９は、第４フレーム前端部２１ａに取り付けられている。この磁気ヘッド９は、磁気ヘッド９の磁気ギャップが下側からカード通過路３に臨むように配置されている。また、磁気ヘッド９は、板バネ２４（図４参照）に固定されており、板バネ２４の付勢力によって上側に付勢されている。
【００４０】
ＩＣ接点ブロック８は、カードリーダ１の奥端側部分に配置されている。このＩＣ接点ブロック８は、ＩＣ接点バネが上側からカード通過路３に臨むように、カード通過路３の上側に配置されている。また、ＩＣ接点ブロック８は、平行リンク機構２５を介して第１フレーム１７に連結されており、前後方向にスライドしながら上下動する。また、ＩＣ接点ブロック８は、引張りコイルバネ２６（図３参照）によって手前側に付勢されている。
【００４１】
本形態では、カードリーダ１の奥側へ挿入されたカード２の先端（奥端）がＩＣ接点ブロック８の奥端に形成されるカード係合部に係合すると、ＩＣ接点ブロック８が奥側にスライドしながら下降して、カード２の外部接続端子に複数のＩＣ接点バネが接触する。また、奥側に挿入されたカード２が手前側に引き抜かれると、カード２のおもて面からＩＣ接点バネが離れるように、引張りコイルバネ２６の付勢力によって、ＩＣ接点ブロック８が手前側にスライドしながら上昇する。
【００４２】
レバー部材１０は、カード通過路３を閉鎖する閉位置とカード通過路３を開放する開位置との間で回動可能となっている。また、レバー部材１０の前端は、第４フレーム前端部２１ａに配置されており、レバー部材１０は、挿入されたカード２の引抜きを閉位置で阻止する。また、カードリーダ１は、図３に示すように、閉位置へレバー部材１０を付勢するネジリコイルバネ２７と、閉位置でレバー部材１０の回動を規制する規制ピン２８と、レバー部材１０の回動を規制する回動規制位置とレバー部材１０の回動を可能にする回動可能位置との間で規制ピン２８を移動させるソレノイド２９とを備えている。
【００４３】
本形態では、カード挿入口６ａにカード２が挿入されていないときに、レバー部材１０は、カード通過路３を閉鎖している。この状態で、カード２が挿入されると、カード通過路３を閉鎖するレバー部材１０の前端側部分の傾斜面にカード２の端面が接触して、レバー部材１０が、ネジリコイルバネ２７の付勢力に抗して回動し、カード通過路３を開放する。また、その後さらにカード２が奥側へ挿入されると、レバー部材１０はネジリコイルバネ２７の付勢力で回動して、カード通過路３の手前端側を閉鎖する。
【００４４】
回路基板１１、１２は、リジッド基板であり、略長方形の平板状に形成されている。回路基板１１は、本体フレーム４の上面にスナップフィットによって固定されている。具体的には、回路基板１１に形成された係合孔または回路基板１１の端面に係合する第１フレーム１７の係合爪１７ｇの弾性を利用したスナップフィットによって、回路基板１１が本体フレーム４の上面に固定されている。
【００４５】
回路基板１２は、本体フレーム４の下面にスナップフィットによって固定されている。具体的には、回路基板１２の右端面に係合する第２フレーム１８の係合爪１８ｈの弾性を利用したスナップフィットによって、回路基板１２が本体フレーム４の下面に固定されている。なお、回路基板１２の左端面は、第２フレーム１８の下面側に形成される当接面１８ｊに当接している（図４参照）。
【００４６】
固定フレーム１３は、金属製の薄板を所定形状に折り曲げることで形成されており、本体フレーム４に固定されている。この固定フレーム１３は、回路基板１１の手前側部分の上面を覆う上面部１３ａと、本体フレーム４の左右の側面を覆う２個の側面部１３ｂとから構成されている。側面部１３ｂには、上位装置にカードリーダ１を固定するためのネジ孔１３ｃが形成されている。
【００４７】
（ベゼルの構成）
図６（Ａ）は、図１のＥ−Ｅ断面の構成を説明するための概略断面図であり、図６（Ｂ）は、図１のＦ−Ｆ断面の構成を説明するための概略断面図である。
【００４８】
ベゼル６は、本体フレーム４の前端側部分（具体的には、フレーム前端部４ｂ）を覆うように、本体フレーム４の前端側部分に取り付けられている。ベゼル６には、本体フレーム４の切欠き部４ａの形状に応じた切欠き部６ｂが形成されており、上下方向から見たときのベゼル６の形状は、略Ｕ形状となっている。切欠き部６ｂは、ユーザによるカード２の挿入およびカード２の引抜きが可能となるように形成されており、カード挿入口６ａから挿入されたカード２の先端（奥端）がカード通過路３の奥端側まで到達した状態では、カード２の前端は、切欠き部６ｂに配置されている。また、ベゼル６の後面は、開口しており、ベゼル６は、本体フレーム４の前端側部分に前側から取り付けられる。
【００４９】
ベゼル６は、フレーム前端部４ｂの左側の開口部を覆う（すなわち、第３フレーム前端部２０ａの左端側の開口部を覆う）第１幅方向覆部としての幅方向覆部６ｃと、フレーム前端部４ｂの右側の開口部を覆う（すなわち、第４フレーム前端部２１ａの右端側の開口部を覆う）第２幅方向覆部としての幅方向覆部６ｄとを備えている。すなわち、ベゼル６は、フレーム前端部４ｂの左右方向の両側のそれぞれを覆う幅方向覆部６ｃ、６ｄを備えている。
【００５０】
また、ベゼル６は、第３フレーム前端部２０ａの上下方向の両側のそれぞれを覆う第１厚さ方向覆部としての２個の厚さ方向覆部６ｅと、第４フレーム前端部２１ａの上下方向の両側のそれぞれを覆う第２厚さ方向覆部としての２個の厚さ方向覆部６ｆとを備えている。すなわち、ベゼル６は、フレーム前端部４ｂの上下方向の両側のそれぞれを覆う厚さ方向覆部６ｅ、６ｆを備えている。さらに、ベゼル６は、第３フレーム前端部２０ａの前側を覆う前側覆部６ｇと、第４フレーム前端部２１ａの前側を覆う前側覆部６ｈと、第３フレーム前端部２０ａの右側を覆う内側覆部６ｊと、第４フレーム前端部２１ａの左側を覆う内側覆部と、切欠き部４ａの奥側部分（すなわち、本体フレーム４の、左側突出部２０の奥端と右側突出部２１の奥端との間の部分）を覆う奥側覆部６ｋとを備えている。
【００５１】
幅方向覆部６ｃは、２個の厚さ方向覆部６ｅに繋がっており、前側覆部６ｇは、幅方向覆部６ｃと２個の厚さ方向覆部６ｅとに繋がっており、内側覆部６ｊは、２個の厚さ方向覆部６ｅと前側覆部６ｇとに繋がっている。幅方向覆部６ｄは、２個の厚さ方向覆部６ｆに繋がっており、前側覆部６ｈは、幅方向覆部６ｄと２個の厚さ方向覆部６ｆとに繋がっており、第４フレーム前端部２１ａの左側を覆う内側覆部は、２個の厚さ方向覆部６ｆと前側覆部６ｈとに繋がっている。奥側覆部６ｋは、内側覆部６ｊと第４フレーム前端部２１ａの左側を覆う内側覆部とに繋がっている。カード挿入口６ａは、前側覆部６ｇ、６ｈ、内側覆部６ｊ、第４フレーム前端部２１ａの左側を覆う内側覆部および奥側覆部６ｋに形成されている。また、カード挿入口６ａは、スリット状に形成されている。
【００５２】
幅方向覆部６ｃは、第３フレーム前端部２０ａの左側面に接触しており、第３フレーム前端部２０ａにおいて、カード通過路３の左側面を構成している（図６（Ａ）参照）。幅方向覆部６ｄは、第４フレーム前端部２１ａの右側面に接触しており、第４フレーム前端部２１ａにおいて、カード通過路３の右側面を構成している（図６（Ｂ）参照）。すなわち、フレーム前端部４ｂでは、幅方向覆部６ｃ、６ｄによってカード通過路３の左右方向の側面が構成されている。
【００５３】
図６（Ａ）に示すように、幅方向覆部６ｃには、右側に向かって突出する第１突出部としての突出部６ｐが形成されている。突出部６ｐは、上下方向における第５フレーム前端部１７ｃと第６フレーム前端部１８ｃとの間に配置されており、第５フレーム前端部１７ｃの下面および第６フレーム前端部１８ｃの上面に接触している。また、図６（Ｂ）に示すように、幅方向覆部６ｄには、左側に向かって突出する第２突出部としての突出部６ｑが形成されている。突出部６ｑは、上下方向における第７フレーム前端部１７ｄと第８フレーム前端部１８ｄとの間に配置されており、第７フレーム前端部１７ｄの下面および第８フレーム前端部１８ｄの上面に接触している。
【００５４】
すなわち、幅方向覆部６ｃ、６ｄには、左右方向の内側に向かって突出するとともに上下方向における第１フレーム前端部１７ｅと第２フレーム前端部１８ｅとの間に配置され、第１フレーム前端部１７ｅおよび第２フレーム前端部１８ｅに接触する突出部６ｐ、６ｑが形成されている。
【００５５】
突出部６ｐの右側への突出量は、突出部６ｑの左側への突出量よりも大きくなっている。また、本形態の突出部６ｐは、上下方向に間隔をあけた状態で配置される第３突出部としての２個の突出部６ｒによって構成されており、上側に配置される突出部６ｒは、第５フレーム前端部１７ｃの下面に接触し、下側に配置される突出部６ｒは、第６フレーム前端部１８ｃの上面に接触している。２個の突出部６ｒの間は、カード通過路３の一部となっている。
【００５６】
２個の厚さ方向覆部６ｅのうちの上側に配置される厚さ方向覆部６ｅは、第３フレーム前端部２０ａの上端に接触し、下側に配置される厚さ方向覆部６ｅは、第３フレーム前端部２０ａの下端に接触している。本形態では、第５フレーム前端部１７ｃの前端側から右端側に亘って上側に伸びる壁部１７ｐが第５フレーム前端部１７ｃに形成されており、上側に配置される厚さ方向覆部６ｅは、壁部１７ｐの上端面に接触している。また、第６フレーム前端部１８ｃの前端側から右端側に亘って下側に伸びる壁部１８ｐが第６フレーム前端部１８ｃに形成されており、下側に配置される厚さ方向覆部６ｅは、壁部１８ｐの下端面に接触している。
【００５７】
同様に、２個の厚さ方向覆部６ｆのうちの上側に配置される厚さ方向覆部６ｆは、第４フレーム前端部２１ａの上端に接触し、下側に配置される厚さ方向覆部６ｆは、第４フレーム前端部２１ａの下端に接触している。本形態では、第７フレーム前端部１７ｄの前端側から左端側に亘って上側に伸びる壁部１７ｑが第７フレーム前端部１７ｄに形成されており、上側に配置される厚さ方向覆部６ｆは、壁部１７ｑの上端面に接触している。また、第８フレーム前端部１８ｄの前端側から左端側に亘って下側に伸びる壁部１８ｑが第８フレーム前端部１８ｄに形成されており、下側に配置される厚さ方向覆部６ｆは、壁部１８ｑの下端面に接触している。
【００５８】
すなわち、厚さ方向覆部６ｅ、６ｆは、第３フレーム前端部２０ａおよび第４フレーム前端部２１ａの上下方向の両端のそれぞれ（すなわち、フレーム前端部４ｂの上下方向の両端のそれぞれ）に接触している。
【００５９】
ベゼル６の左右両端のそれぞれには、後ろ側に向かって伸びる係合爪６ｔが形成されている（図１参照）。係合爪６ｔは、左右方向に弾性変形可能となっている。また、係合爪６ｔには、本体フレーム４の凸部２０ｂ、２１ｂに係合する係合孔が形成されている。ベゼル６は、凸部２０ｂ、２１ｂに係合する係合爪６ｔの弾性を利用したスナップフィットによって本体フレーム４に固定されている
【００６０】
（本形態の主な効果）
以上説明したように、本形態では、フレーム前端部４ｂの左右方向の両端は、開口している。また、本形態では、ベゼル６の幅方向覆部６ｃが第３フレーム前端部２０ａの左側面に接触するとともに、ベゼル６の幅方向覆部６ｄが第４フレーム前端部２１ａの右側面に接触しており、フレーム前端部４ｂでは、幅方向覆部６ｃ、６ｄによってカード通過路３の左右方向の側面が構成されている。そのため、本形態では、フレーム前端部４ｂにおいてカード通過路３の左右方向の側面が本体フレーム４によって構成されるようにフレーム前端部４ｂの左右方向の両端が塞がっており、かつ、左右方向の両端が塞がっているフレーム前端部４ｂの左右方向の両側のそれぞれをベゼル６の一部分が覆っている場合と比較して、ベゼル６が配置されるカードリーダ１の前端側部分を左右方向で小型化することが可能になる。
【００６１】
本形態では、ベゼル６の２個の厚さ方向覆部６ｅのそれぞれは、第３フレーム前端部２０ａの上下方向の両端のそれぞれに接触している。また、本形態では、幅方向覆部６ｃに形成される突出部６ｐは、上下方向における第５フレーム前端部１７ｃと第６フレーム前端部１８ｃとの間に配置されており、第５フレーム前端部１７ｃの下面および第６フレーム前端部１８ｃの上面に接触している。そのため、本形態では、第５フレーム前端部１７ｃと第６フレーム前端部１８ｃとが互いに固定されていなくても、上下方向において第５フレーム前端部１７ｃと第６フレーム前端部１８ｃとが互いに離れるように変形したり、互いに近づくように変形したりするのをベゼル６によって抑制することが可能になる。したがって、本形態では、第５フレーム前端部１７ｃと第６フレーム前端部１８ｃとを互いに固定するための構成が不要となり、その結果、カードリーダ１の構成を簡素化してカードリーダ１を小型化することが可能になる。
【００６２】
同様に、本形態では、ベゼル６の２個の厚さ方向覆部６ｆのそれぞれは、第４フレーム前端部２１ａの上下方向の両端のそれぞれに接触している。また、幅方向覆部６ｄに形成される突出部６ｑは、上下方向における第７フレーム前端部１７ｄと第８フレーム前端部１８ｄとの間に配置されており、第７フレーム前端部１７ｄの下面および第８フレーム前端部１８ｄの上面に接触している。そのため、本形態では、第７フレーム前端部１７ｄと第８フレーム前端部１８ｄとが互いに固定されていなくても、上下方向において第７フレーム前端部１７ｄと第８フレーム前端部１８ｄとが互いに離れるように変形したり、互いに近づくように変形したりするのをベゼル６によって抑制することが可能になる。したがって、本形態では、第７フレーム前端部１７ｄと第８フレーム前端部１８ｄとを互いに固定するための構成が不要となり、その結果、カードリーダ１の構成を簡素化してカードリーダ１を小型化することが可能になる。
【００６３】
また、本形態では、第３フレーム前端部２０ａの左右方向の幅は、第４フレーム前端部２１ａの左右方向の幅よりも狭くなっており、第５フレーム前端部１７ｃおよび第６フレーム前端部１８ｃの強度は比較的低くなっているが、カード通過路３の一部となるまで突出部６ｒが突出しているため（すなわち、突出部６ｐが突出しているため）、突出部６ｐによって、第５フレーム前端部１７ｃと第６フレーム前端部１８ｃとが互いに近づくように変形するのを効果的に抑制することが可能になる。
【００６４】
本形態では、フレーム前端部４ｂの左右方向の幅は、前側に向かうにしたがって次第に狭くなっており、フレーム前端部４ｂの前端の幅Ｈは、カード挿入口６ａに挿入されるカード２の幅と等しくなっている。そのため、本形態では、ベゼル６が配置されるカードリーダ１の前端側部分を左右方向でより小型化することが可能になる。
【００６５】
本形態では、第１フレーム１７と第２フレーム１８とがスナップフィットによって互いに固定されている。そのため、本形態では、第１フレーム１７と第２フレーム１８とがネジで固定されている場合と比較して、カードリーダ１を小型化することが可能になる。また、本形態では、ベゼル６は、スナップフィットによって本体フレーム４に固定されているため、ベゼル６がネジによって本体フレーム４に固定されている場合と比較して、カードリーダ１を小型化することが可能になる。また、本形態では、回路基板１１は、本体フレーム４の上面にスナップフィットによって固定され、回路基板１２は、本体フレーム４の下面にスナップフィットによって固定されているため、回路基板１１、１２がネジによって本体フレーム４に固定されている場合と比較して、上下方向でカードリーダ１を小型化することが可能になる。
【００６６】
（他の実施の形態）
上述した形態は、本発明の好適な形態の一例ではあるが、これに限定されるものではなく本発明の要旨を変更しない範囲において種々変形実施が可能である。
【００６７】
上述した形態では、ベゼル６の２個の厚さ方向覆部６ｅのそれぞれは、第３フレーム前端部２０ａの上下方向の両端のそれぞれに接触しているが、上側に配置される厚さ方向覆部６ｅと第３フレーム前端部２０ａの上端との間に隙間が形成されていても良いし、下側に配置される厚さ方向覆部６ｅと第３フレーム前端部２０ａの下端との間に隙間が形成されていても良い。同様に、上述した形態では、ベゼル６の２個の厚さ方向覆部６ｆのそれぞれは、第４フレーム前端部２１ａの上下方向の両端のそれぞれに接触しているが、上側に配置される厚さ方向覆部６ｆと第４フレーム前端部２１ａの上端との間に隙間が形成されていても良いし、下側に配置される厚さ方向覆部６ｆと第４フレーム前端部２１ａの下端との間に隙間が形成されていても良い。
【００６８】
上述した形態において、突出部６ｑは、突出部６ｐと同様に、上下方向に間隔をあけた状態で配置される２個の突出部によって構成されていても良い。また、上述した形態において、突出部６ｐは、突出部６ｑと同様に形成されていても良い。また、幅方向覆部６ｃに突出部６ｐが形成されていなくても良いし、幅方向覆部６ｄに突出部６ｑが形成されていなくても良い。また、上述した形態では、本体フレーム４に切欠き部４ａが形成され、ベゼル６に切欠き部６ｂが形成されているが、切欠き部４ａ、６ｂが形成されていなくても良い。さらに、上述した形態では、フレーム前端部４ｂの前端の幅Ｈは、カード２の幅と等しくなっているが、幅Ｈは、カード２の幅より広くても良い。また、上述した形態では、フレーム前端部４ｂの左右方向の幅は、前側に向かうにしたがって次第に狭くなっているが、フレーム前端部４ｂの左右方向の幅は、一定であっても良い。
【００６９】
上述した形態では、第１フレーム１７と第２フレーム１８とがスナップフィットによって互いに固定されているが、第１フレーム１７と第２フレーム１８とがネジによって固定されても良い。また、上述した形態では、ベゼル６は、スナップフィットによって本体フレーム４に固定されているが、ベゼル６は、ネジによって本体フレーム４に固定されても良い。さらに、上述した形態では、回路基板１１、１２は、スナップフィットによって本体フレーム４に固定されているが、回路基板１１、１２は、ネジによって本体フレーム４に固定されても良い。
【００７０】
上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。また、上述した形態では、カードリーダ１は、手動式のカードリーダであるが、本発明が適用されるカードリーダは、カード２の搬送機構を有するカード搬送式のカードリーダであっても良い。この場合には、たとえば、カード２の全体がカード通過路を通過するように、カード通過路が形成されても良い。
【符号の説明】
【００７１】
１  カードリーダ
２  カード
３  カード通過路
４  本体フレーム
４ａ  切欠き部
４ｂ  フレーム前端部
６  ベゼル
６ａ  カード挿入口
６ｃ  幅方向覆部（第１幅方向覆部）
６ｄ  幅方向覆部（第２幅方向覆部）
６ｅ  厚さ方向覆部（第１厚さ方向覆部）
６ｆ  厚さ方向覆部（第２厚さ方向覆部）
６ｐ  突出部（第１突出部）
６ｑ  突出部（第２突出部）
６ｒ  突出部（第３突出部）
１１、１２  回路基板
１７  第１フレーム
１７ｃ  第５フレーム前端部
１７ｄ  第７フレーム前端部
１７ｅ  第１フレーム前端部
１８  第２フレーム
１８ｃ  第６フレーム前端部
１８ｄ  第８フレーム前端部
１８ｅ  第２フレーム前端部
２０ａ  第３フレーム前端部
２１ａ  第４フレーム前端部
Ｘ１  カードの挿入方向
Ｙ  第１方向（カードの幅方向）
Ｙ１  第３方向
Ｙ２  第２方向
Ｚ  カードの厚さ方向
【図１】
2017199170.tif 000003
【図２】
2017199170.tif 000004
【図３】
2017199170.tif 000005
【図４】
2017199170.tif 000006
【図５】
2017199170.tif 000007
【図６】
2017199170.tif 000008